(57)【要約】【課題】モバイル無線ネットワークにおいて、少なくとも１つのモバイル無線サブスクライバを探索する。【解決手段】ａ）セルの送信ステーションまでの少なくとも１つの距離パラメータを各受信フィールド強度に割り当てるように、接続セットアップにより決まった情報からセル毎の表を作成する。ｂ）受信フィールド強度に相関し、測定レポートにて送信された少なくとも１つの値に対して、各セルの送信ステーションに割り当てられた距離パラメータをステップａで作成された表から読み出す。ステップｂで読み出した距離パラメータを満足する少なくとも１つのポイントを決定する。【選択図】図３
2010057176.tif 000002
【特許請求の範囲】
【請求項１】
アドレス可能な最小単位がセルであり、送信ステーションが各セルに関連し；少なくとも接続セットアップにおける受信フィールド強度に関する情報と、アクティブなセルの上記送信ステーションまでのモバイル無線サブスクライバの距離に相関するパラメータの情報とを決定し；アクティブなモバイル無線リンクを有するか有しないにかかわらず、モバイル無線サブスクライバが箇条書きの測定レポートを少なくとも１回送信し、上記測定レポートが少なくとも２つの送信ステーションを含み、各送信ステーションに対してこの送信ステーションからの信号の受信フィールド強度に相関した値を割り当てるモバイル無線ネットワークにおいて；少なくとも１つのモバイル無線サブスクライバを探索する方法であって、
ａ）上記セルの上記送信ステーションまでの少なくとも１つの距離パラメータを各受信フィールド強度に割り当てるように、接続セットアップにより決まった上記情報からセル毎の表を作成し、
ｂ）上記受信フィールド強度に相関し、上記測定レポートにて送信された少なくとも１つの値に対して、上記各セルの上記送信ステーションに割り当てられた距離パラメータを、上記ステップａ）で作成された上記表から読み出し、
ｃ）上記ステップｂ）で読み出した距離パラメータを満足する少なくとも１つのポイントを決定する
ことを特徴とするモバイル無線サブスクライバの探索方法。
【請求項２】
アドレス可能な最小単位がセルであり、送信ステーションが各セルに関連し、少なくとも接続セットアップにおいて、受信フィールド強度に関する情報と、アクティブなセルの上記送信ステーションまでのモバイル無線サブスクライバの距離に相関するパラメータの情報とを決定し、アクティブなモバイル無線リンクを有するか有しないにかかわらず、モバイル無線サブスクライバが箇条書きの測定レポートを少なくとも１回送信し、上記測定レポートが少なくとも２つの送信ステーションを含み、各送信ステーションに対して、この送信ステーションからの信号の受信フィールド強度に相関した値を割り当てるモバイル無線ネットワークにおいて、少なくとも１つのモバイル無線サブスクライバを探索する探索装置であって、
上記セルの上記送信ステーションまでの少なくとも１つの距離パラメータを各受信フィールド強度に割り当てるように、接続セットアップにより決まった上記情報からセル毎の表を作成し、
上記受信フィールド強度に相関し、上記測定レポートにて送信された少なくとも１つの値に対して、上記各セルの上記送信ステーションに割り当てられた距離パラメータを上記表から読み出し、
この読み出した距離パラメータを満足する少なくとも１つのポイントを決定する
ことを特徴とするモバイル無線サブスクライバの探索装置。
【発明の詳細な説明】
【技術分野】
【０００１】
本発明は、アドレス可能な最小単位がセルであり、送信ステーションが各セルに関連し、少なくとも接続セットアップにおいて；受信フィールド強度に関する情報と、アクティブなセルの送信ステーションまでのモバイル無線サブスクライバ（加入者）の距離に相関するパラメータの情報とを決定し；アクティブなモバイル無線リンクを有するか有しないにかかわらず、モバイル無線サブスクライバが箇条書きの測定レポートを少なくとも１回送信し、上記測定レポートが少なくとも２つの送信ステーションを含み、各送信ステーションに対して、この送信ステーションからの信号の受信フィールド強度に相関した値を割り当てるという特徴を少なくとも有するモバイル無線ネットワークにおいて；少なくとも１つのモバイル無線サブスクライバを探索する方法に関する。さらに、本発明は、この方法を実行するために対応する探索装置及びコンピュータ・プログラムに関する。
【背景技術】
【０００２】
本願において、アドレス可能な最小単位（ユニット）とは、モバイル無線領域において、この条件の割り当てとは無関係に、セルを意味する。例えば、ＵＭＴＳ（ユニバーサル・モバイル・テレコミュニケーション・システム）において、完全な放射環境、即ち、ノードＢ（NodeB）と呼ばれるベース・ステーション（基地局）の３６０度を６つの分割領域に分割する。各領域に割り当てられた送信ステーションが同じであっても、以下の説明の意味の範囲で、これら領域の各１つにある識別子を割り当てて、これら領域の各々をアドレス可能な最小ユニット、即ち、セルとする。これを他のネットワーク・スタンダード、例えば、ＧＳＭネットワークにも適用する。
【０００３】
モバイル無線サブスクライバの位置を高精度に探索することは、種々の理由によりとても重要である。モバイル無線サブスクライバは、モバイル無線プロバイダのサービスを利用できる状態で、ある領域内でほとんど相関がない状態で移動する。リンクに伴う問題、例えば、コールの終了問題が生じた位置を探索することがプロバイダにとって非常に重要である。例えば、かかる問題は、期間適用範囲問題に含まれる。
【０００４】
従来から知られたアプローチは、セルに関する指示を読み出すことであり、プロトコル・メッセージからモバイル無線サブスクライバを探索する。よって、セルの座標が登録されている外部データベースにより、モバイル無線サブスクライバの位置をセルのライティング・サイズ（cell lighting size）で比較的大雑把に求めることができる。
【０００５】
ＧＰＳ装置に結合したモバイル無線装置を車両によって移動するドライブ試験により、高い精度を達成できる。しかし、かかるドライブ試験は、時間がかかるので、経費がかかる。しかし、これは、単に試験ドライブ中の試験無線装置の位置が関係する。ＧＰＳを一緒に搬送しないネットワークの場合、実際のユーザを探索できない。
【先行技術文献】
【特許文献】
【０００６】
【特許文献１】特開２００４−０３２７７０号公報
【発明の概要】
【発明が解決しようとする課題】
【０００７】
したがって、本発明の目的は、少ない作業によりできるだけ正確にモバイル無線サブスクライバを探索できる方法、装置、及びこの方法を実行するために対応するコンピュータ・プログラム製品を提供することである。
【課題を解決するための手段】
【０００８】
本発明の態様は、以下の通りである。
（１）アドレス可能な最小単位がセル（BS1、Cell ID1；BS1、Cell ID2；BS1、Cell ID3）であり、送信ステーションが各セルに関連し；少なくとも接続セットアップにおいて、受信フィールド強度に関する情報と、アクティブなセルの送信ステーションまでのモバイル無線サブスクライバの距離に相関するパラメータの情報とを決定し；アクティブなモバイル無線リンクを有するか有しないにかかわらず、モバイル無線サブスクライバが箇条書きの測定レポートを少なくとも１回送信し、測定レポートが少なくとも２つの送信ステーションを含み、各送信ステーションに対して、この送信ステーションからの信号の受信フィールド強度に相関した値を割り当てるモバイル無線ネットワークにおいて；少なくとも１つのモバイル無線サブスクライバを探索する方法であって；ａ）セルの送信ステーションまでの少なくとも１つの距離パラメータを各受信フィールド強度に割り当てるように、接続セットアップにより決まった情報からセル毎の表を作成し；ｂ）受信フィールド強度に相関し、測定レポートにて送信された少なくとも１つの値に対して、各セルの送信ステーションに割り当てられた距離パラメータを、ステップａ）で作成された表から読み出し；ｃ）ステップｂ）で読み出した距離パラメータを満足する少なくとも１つのポイントを決定することを特徴とするモバイル無線サブスクライバの探索方法。
（２）ステップｃ）において、セルの送信ステーションの少なくとも１つの開放角度を考慮する態様１の探索方法。
（３）ステップｂ）において、少なくとも２つの送信ステーションまでの距離パラメータを読み出し、ステップｃ）において、ポイントを求めるのにこの距離パラメータを用いる態様１又は２の探索方法。
（４）測定レポートを送信する時点の間に、少なくとも１つの更なる時点（tE）及び少なくとも１つの送信ステーションに対する受信フィールド強度及び／又は少なくとも１つの送信ステーションまでの距離パラメータを内挿法により求める態様１〜３の１つの探索方法。
（５）最後に送信した測定レポートにより求まる距離パラメータに基づいて接続が強制終了した後に、少なくとも１つの送信ステーションまでの距離、好ましくは少なくとも２つの送信ステーションまでの距離を時間（tCA）に対して外挿法により求める態様１〜４の１つの探索方法。
（６）測定レポートは、連続的に送信され、好ましくは、１００ミリ秒から１０秒ごとに定期的に送信されるか、事象に関連して送信され、特に、最強の受信フィールド強度で受信された送信ステーションの変化により送信される態様１〜５の１つの探索方法。
（７）Ｇ２モバイル無線ネットワークのタイミング・アドバンス・パラメータから、若しくは、Ｇ３ネットワーク又は対応するネットワークの伝搬遅延パラメータから距離パラメータを求める態様１〜６の１つの探索方法。
（８）異なるモバイル無線装置、特に、異なる形式のモバイル無線装置に対して、ステップａ）による表を作成し、ステップｂ）による読み出し及びステップｃ）による決定をモバイル無線装置に特定して行う態様１〜７の探索方法。
（９）ステップａ）による表を試験ドライブにより得る態様１〜８の探索方法。
（１０）アドレス可能な最小単位がセル（BS1、Cell ID1；BS1、Cell ID2；BS1、Cell ID3）であり、送信ステーションが各セルに関連し；少なくとも接続セットアップにおいて、受信フィールド強度に関する情報と、アクティブなセルの送信ステーションまでのモバイル無線サブスクライバの距離に相関するパラメータの情報とを決定し；アクティブなモバイル無線リンクを有するか有しないにかかわらず、モバイル無線サブスクライバが箇条書きの測定レポートを少なくとも１回送信し、上記測定レポートが少なくとも２つの送信ステーションを含み、各送信ステーションに対して、この送信ステーションからの信号の受信フィールド強度に相関した値を割り当てるモバイル無線ネットワークにおいて；少なくとも１つのモバイル無線サブスクライバを探索する探索装置であって；セルの送信ステーションまでの少なくとも１つの距離パラメータを各受信フィールド強度に割り当てるように、接続セットアップにより決まった情報からセル毎の表を作成し；受信フィールド強度に相関し、測定レポートにて送信された少なくとも１つの値に対して、各セルの送信ステーションに割り当てられた距離パラメータを表から読み出し；この読み出した距離パラメータを満足する少なくとも１つのポイントを決定することを特徴とするモバイル無線サブスクライバの探索装置。
（１１）表を作成する少なくとも１つの蓄積装置を含む態様１０の探索装置。
（１２）表示装置を含み、決定したポイントの位置座標を表示するように構成された態様１０又は１１の探索装置。
（１３）決定したポイント及び受信可能な送信ステーションのマップを表示するように構成された態様１２の探索装置。
（１４）態様１〜９の１つにより方法を実行するコンピュータ・プログラム。
【０００９】
いずれにせよ、ネットワークにて送信された情報を巧妙に評価することにより、ドライブ試験によらず、また専用測定装置によらずに、モバイル無線サブスクライバの探索を可能にすることに本発明が基づいている。このため、接続セットアップで決めたセル毎の情報から表を作成し、セルの送信ステーションまでの少なくとも１つの距離パラメータを各受信フィールド強度に割り当てる。その後、各セルの送信ステーションまでの割り当て済み距離パラメータを、受信フィールド強度に相関した表から得た少なくとも１つの値から読み出し、測定レポートで送信して、最終的に、読み出し距離パラメータを満足するポイントを決定する。
【００１０】
いくつの距離パラメータをリンクするかにより、モバイル無線サブスクライバの位置を非常に正確に決定できる。アクティブ状態、即ち、話、データ又は制御データのアクティブ・モバイル・リンクが存在する状態と、アクティブ・モバイル無線リンクのないアイドリング状態の両方で位置を決定（特定）できる。さらに、この位置は、ある時にはあるポイント、例えば、コールの開始にて可能なばかりでなく、ある時には任意のポイントでも可能である。本発明は、セル・ライティング・サイズに対してモバイル無線サブスクライバの位置を決定するための従来技術のアプローチに基づいている。しかし、これは、更に正確な探索のためのパラメータを用い、各セルの対の値との新たな相関により、種々のセルにおける特定のフィールド伝搬状態を考慮する。
【００１１】
トポロジーと、特定開発によるフィールド伝搬状態とがセル毎に変化するので、データベースを受信パラメータから各セル用に作成し、距離パラメータ、例えば、ＴＡ（ＧＳＭスタンダードのタイミング・アドバンス、又はＵＭＴＳスタンダードの伝搬遅延）をレポートする。この方法は、各セルに対して、ほぼ可能な対の値を提供できるアルゴリズムを用いる。近隣のセルから収集したデータを考慮することにより、正しい対を見つけ、誤った対を除外できる。例えば、これは、三角法により実行できる。
【００１２】
このアプローチにより、受動的に測定したフィールド強度によって、例えば、モバイル無線サブスクライバから受信したメッセージによって、モバイル無線サブスクライバの距離を決定できる。好ましくは、近隣のセルから収集されたデータに対しても三角法により、位置決定が可能である。さらに、その時の不連続な測定値から、内挿法又は外挿法により、連続な探索が可能となる。各セルにおける特定の受動的な測定により、即ち、判った位相により、かなり異なる展開に対しても、典型的な結果を得ることが可能である。
【００１３】
例えば、ＵＭＴＳスタンダードにて、幅が２１０ｍ（＋／−１０５ｍ）のセル内において、「ケーキのスライス」の精度で、少なくとも１つの距離パラメータを評価できる。一方、このパラメータは、従来技術を大幅に改善しているが、位置を決めるために、少なくとも２つの送信ステーションに対する距離パラメータを読み出して用いると、一層正確な結果を達成できる。ここで、特に都合よく、セルの送信ステーションの開放角度（opening angle）を考慮できる。よって、不正確に決定したポイントを除外できる。すなわち、セルの各送信ステーションの周りの２つの円により、２つの距離パラメータを評価すると、交差の２つのポイントが得られる。１つのポイントが２つのセルの一方の考慮すべき開放角度の外側の場合、このポイントが除外されて、他のポイントを正確なものとして決定できる。
【００１４】
特に望ましいモバイル無線サブスクライバの位置では、測定レポートを伝送する時点と事象が必然的に一致しないので、この事象の時点でモバイル無線サブスクライバが配置される位置を内挿法により特に巧みに決定できる。このため、その時点のポイント及び少なくとも１つの送信ステーションに対する内挿法により、受信フィールド強度及び／又は少なくとも１つの送信ステーションまでの距離パラメータを決定する。種々の線形又は非線型方法を内挿法に適用できる。
【００１５】
例えば、最後の送信済み測定レポートによって決定した距離パラメータにより、特定の事象が接続中止ならば、少なくとも１つの送信ステーション、好ましくは、少なくとも２つの送信ステーションまでの距離パラメータを外挿法による接続中止の時間に決定できる。種々の線形又は非線型アルゴリズムをこれに用いることができる。
【００１６】
好ましくは、例えば、通常は、１００ミリ秒から１０秒ごとに、又は、事象に関連して、特に、最強の受信フィールド強度で受信される送信ステーションの変化に応じて、測定試験ポイントが連続的に送信される。よって、低い帯域幅でモバイル無線サブスクライバを非常に正確に探索できる。特別な問題の場合、エア・インタフェースのプロトコルの作用により、測定レポートが送信されるレートを一時的に増加できる。
【００１７】
特に、Ｇ２モバイル無線ネットワークのタイミング・アドバンス・パラメータから、若しくは、Ｇ３ネットワーク又はこれに対応する伝搬遅延パラメータから、供給パラメータを決定する。伝搬遅延パラメータにより１ビットが７８ｍに対応して、距離の分解能は、理想的な場合に＋／−３９ｍである。いくつかの場合、最小３ビットの精度でレポートし、いずれにせよ、これが＋／−１１７ｍの精度に対応する。
【００１８】
異なるモバイル無線装置、特に異なる形式のモバイル無線装置用に表を作成できる。ここで、モバイル無線サブスクライバの位置を読み出し、及び／又は決定することは、モバイル無線装置に特に影響する。試験ドライブにより表を得ることができる。従来技術に対して、ここでは、ＧＰＳ装置のない従来のモバイル無線装置を用いることができる。よって、品質、即ち、表の分解能を適切に改善できる。
【００１９】
本発明の方法に基づいた好適な実施例とその利点は、可能ならば、同様に、本発明の探索装置と、本発明によるコンピュータ・プログラムに適用される。
【００２０】
本発明の探索装置の好適な実現には、表を作成するために少なくとも１つの蓄積装置を含む。好ましくは、本発明の探索装置は、表示装置を更に含み、決定したポイントの位置座標を表示するように構成されている。特に好適には、決定ポイント及び受信可能な送信ステーションのマップを表示するように構成されている。よって、ユーザは、決定した位置及びその環境を特に迅速且つ安定的に認識できる。好適な実施例は、後述から更に明らかになろう。本発明の方法による実施例は、添付図を参照して詳細に後述する。
【図面の簡単な説明】
【００２１】
【図１】距離が異なるセルの受信フィールド強度に割り当てられた表を示す図である。
【図２】モバイル無線サブスクライバＸが時点ｔ1にアクティブ・セルに送信する第１測定レポートと、例えば表１を適用して決定された２つの送信ステーションの距離パラメータを示す図である。
【図３】第１の探索例を示し、２つの距離パラメータと開放角度を用いて、図２の測定レポートに対してモバイル無線サブスクライバの位置を決定することを説明する図である。
【図４】モバイル無線サブスクライバＸが時点ｔ2にアクティブ・セルに送信する第２測定レポートと、例えば表１を適用して決定された３つの送信ステーションの距離パラメータを示す図である。
【図５】第２の探索例を示し、４つの距離パラメータを用いて、図４の測定レポートに対してモバイル無線サブスクライバの位置を決定することを説明する図である。
【図６】時点ｔEにて内挿法により、時点ｔCAにて外挿法によりモバイル無線サブスクライバの位置を決定する例を説明する図である。
【図７】特定の場所に集中したモバイル無線サブスクライバと基地局（ベース・ステーション）を示すスクリーンを示す図である。
【発明を実施するための形態】
【００２２】
図１は、各セル用に対の値が蓄積された表を示し、値の各対は、そこに送信される接続セットアップ及び距離パラメータにおける受信フィールド強度を表す。実際には、理解を助けるために、距離パラメータを、対応セルの送信ステーションまでのモバイル無線サブスクライバの距離に変換する。ＧＳＭネットワークにおいて、距離パラメータは、タイミング・アドバンス・パラメータである一方、ＵＭＴＳネットワークにおいて、距離パラメータは、伝搬遅延パラメータである。パラメータが送信され、そこから、モバイル無線サブスクライバ及びアクティブな送信ステーションの間の距離が決まれば、本発明は、勿論、他のネットワーク・スタンダードにも適用可能である。
【００２３】
好ましくは、本発明の探索装置において、この表を作成する。例えば、ＧＳＭのベース・ステーション又はＵＭＴＳネットワークのノードＢにて、箇条書きの測定レポートの受動的なモニタ用のエア・インタフェースの前で、ネットワークの最も外側のノードに探索装置が接続される。しかし、階層の高いネットワーク要素にも、探索装置を接続できる。
【００２４】
この表から明らかなように、２つの距離は、セルBS1, Cell ID1の−７０ｄＢｍ、即ち、１５０ｍ及び３００ｍの受信フィールド強度が対象となる。
【００２５】
図２は、第１例として、測定レポート、即ち、モバイル無線サブスクライバ（ＭＦＴ）Ｘがアクティブなセル、実際には、BS1, Cell ID1に時点ｔ1にて送信するいわゆる箇条書きの測定レポートを示す。この測定レポートは、好ましくは受信フィールド強度により構成され、基準信号、例えば、全ての受信可能な送信ステーションの内の一定パワーの送信ステーションから放射されたＣＰｉＣｈ（= Common Pilot Channel）信号の受信フィールド強度を含む。よって、送信ステーションBS1, Cell ID1が−８７ｄＢｍで受信され、BS2, Cell ID1が−８８ｄＢｍである。図１の表における各送信ステーション用の対応受信フィールド強度を探索すると、時点ｔ1にて、モバイル無線サブスクライバＸがセルBS1, Cell ID1の送信ステーションから５２０ｍ離れており、セルBS2, Cell ID1の送信ステーションから６００ｍ離れていることが明らかになる。
【００２６】
図３は、第１〜第４ベース・ステーションＢＳ１〜ＢＳ４が登録されたマップを示す。実際には、各ベース・ステーションは、Cell ID1〜Cell ID3と例示的に示す３つのステーションを有する。したがって、各Cell IDは、関連したベース・ステーションに配置された送信ステーションから開始する１２０度の開放角度を有する。実際には、各Cell IDの送信ステーションを関連したベース・ステーションに配置している。
【００２７】
図２に応じて決定した値が図３のマップに入れると、その結果は、ベース・ステーションＢＳ１の周囲で半径５２０ｍの円と、ベース・ステーションＢＳ２の周囲で半径６００ｍの円となる。これら２つの円がポイントＰ１及びＰ２と交差する。第１に、時点ｔ1にてモバイル無線サブスクライバＸ用の位置として、これら２つのポイントＰ１、Ｐ２を考慮する。セルBS2, Cell ID1の開放角度を追加的に考慮すると、ポイントＰ１を除外できる。よって、時点ｔ1でのモバイル無線サブスクライバＸの実際の位置は、ポイントＰ２である。
【００２８】
図４は、時点ｔ2にてアクティブなセルBS2, Cell ID1に送信されたモバイル無線サブスクライバＸ用の第２の箇条書きの測定レポートを示す。図１の表にて探索することにより、モバイル無線サブスクライバＸの距離の結果は、時点ｔ2にてセルBS2, Cell ID1の送信ステーションから６００ｍであり、セルBS1, Cell ID1の送信ステーションから１５０ｍ又は３００ｍであり、セルCell BS3, Cell ID2の送信ステーションから２５０ｍである。
【００２９】
図５は、この例の結果としてのコンステレーションを示す。まず、セルBS2, Cell ID1及びBS1, Cell ID1の送信ステーションからの距離を評価すると、その結果は、２つの可能なポイントＰ１及びＰ２である。これとは対照的に、セルBS3, Cell ID2の送信ステーションからのモバイル無線サブスクライバの距離を更に評価すると、その結果には、交差する他のポイントＰ３であるが、ポイントＰ１が３つの距離条件の全てを満足する。よって、ポイントＰ１は、時点ｔ2におけるモバイル無線サブスクライバＸの位置である。
【００３０】
図６は、セルBS1, Cell ID1の送信ステーションとセルBS2, Cell ID2の送信ステーションまでのモバイル無線サブスクライバＸの距離の時間的経過を示す。まず、測定レポートにて送信された情報により、結果のポイントが登録される。これらは、小さな×印により識別される。内挿法により、測定レポートを送信した時点の間の時間に対する距離を決定できる。よって、ある事象が生じた時点ｔEにて、高精度で、距離の内挿法によりモバイル無線サブスクライバＸの位置を決定できる。よって、モバイル無線サブスクライバＸは、時点ｔEにてセルBS1, Cell ID1の送信ステーションからＸ1ｍだけ離れており、セルBS2, Cell ID2の送信ステーションからＸ2ｍだけ離れている。コールが終了すると、内挿法が有効でなくなる。コール終了の時点ｔCAでの距離は、外挿法により正確に決定できる。よって、モバイル無線サブスクライバＸは、時点ｔCAにてセルBS1, Cell ID1の送信ステーションからＹ1ｍだけ離れ、セルBS2, Cell ID2の送信ステーションからＹ2ｍだけ離れている。勿論、このアプローチにおいて、更なる送信ステーションまでの距離も決定でき、位置の決定に考慮できる。
【００３１】
図７は、本発明による探索装置の表示装置２０のスクリーン上に描かれたマップを示す。ここで、探索されたモバイル無線サブスクライバ（小さな矩形示される２２）と、表示された図形領域内に配置されたベース・ステーション２４ｉ及びその結果のセルとは、実際の開放角度を考慮して、マップ内に登録される。これら矩形２２ｉの１つで又はこれら登録されたベース・ステーション２４ｉの１つがカーソルにより移動すると、対応するモバイル無線リンク又は対応するベース・ステーションへのモバイル無線サブスクライバ（特に、リンクなどへの指示による識別）への更なる情報を夫々ポップ・アップ・ウィンドウに表示する。
【００３２】
必要に応じて、更に微細なスクリーニング及びモバイル無線サブスクライバの更に詳細な位置探索を可能にするため、ドライブ試験により、更なる入力によって図１の表を埋めることができる。上述の如く、本発明による測定装置は、ＵＭＴＳスタンダードに応じたモバイル無線ネットワークのｌｕＢインタフェースに好ましくは配置される。
【符号の説明】
【００３３】
２０  表示装置
２２ｉ  矩形
２４ｉ  ベース・ステーション
【図１】
2010057176.tif 000003
【図２】
2010057176.tif 000004
【図３】
2010057176.tif 000005
【図４】
2010057176.tif 000006
【図５】
2010057176.tif 000007
【図６】
2010057176.tif 000008
【図７】
2010057176.tif 000009